(57)【要約】【課題】角質層水分量と角質層剥離パターンを組み合わせることにより、その人の皮膚の保湿状態と保湿能を適正に評価することのできる皮膚状態評価方法と、その評価にもとづく化粧品推奨方法を提供する。【解決手段】所定の方法で観察される被測定者の角質層剥離画像を、予め用意された複数の角質層剥離パターン例のなかから選択するとともに、被測定者の皮膚表面の角質層に含有される水分量を水分測定具で測定し、得られた角質層剥離パターンと角質層水分量を、予め用意された、角質層剥離層パターンと角質層水分量の関係から皮膚の保湿状態を複数の階層に区分して示す保湿レベル表と対比し、被測定者の保湿レベルがいずれのレベルに属するかを特定して評価する。【選択図】なし【特許請求の範囲】
【請求項１】
粘着面を有する角質層採取シートを被測定者の皮膚表面に押圧して剥がすことにより角質層の表層部分を上記粘着面に付着させて採取し、この角質層付粘着面を撮像装置で映して得られる角質層剥離画像と、予め用意された複数の角質層剥離パターンとを対比して、被施術者の角質層剥離パターンを特定するとともに、被測定者の皮膚表面の角質層に含有される水分量を水分測定具で測定し、得られた角質層剥離パターンと角質層水分量を、予め用意された、角質層剥離パターンと角質層水分量の関係から皮膚の保湿状態を複数の階層に区分して示す保湿レベル表と対比し、被測定者の保湿レベルがいずれのレベルに属するかを特定して評価するようにしたことを特徴とする皮膚状態評価方法。
【請求項２】
上記撮像装置による角質層剥離画像が、反射画像と無反射画像の２種類を選択して得られるようになっている請求項１記載の皮膚状態評価方法。
【請求項３】
上記複数の保湿レベルの各保湿レベルごとに、その保湿レベルの皮膚状態に適した保湿特性の化粧品もしくは化粧品群が準備されており、請求項１または２記載の皮膚状態評価方法によって特定される被測定者の保湿レベルに応じて、その被測定者に適する保湿特性の化粧品もしくは化粧品群を推奨するようにしたことを特徴とする化粧品推奨方法。
【発明の詳細な説明】
【技術分野】
【０００１】
本発明は、化粧品販売員等が顧客に対して行う皮膚状態評価方法およびその評価にもとづく化粧品推奨方法に関するものである。
【背景技術】
【０００２】
従来から、化粧品販売において、専門の販売員が、店頭あるいは訪問販売先で、肌用の測定機器を用いて顧客の皮膚状態を測定し、その測定結果に基づいて、その人の肌に合うと思われる化粧品をアドバイスすることが多く行われている。このような皮膚状態測定具としては、例えば水分量だけを測定する単一タイプのもの（例えば特許文献１参照）と、水分量、皮脂量、皮膚温度等を測定する複数の測定具を本体に取り付けた複合タイプのもの（例えば特許文献２参照）があげられる。
【特許文献１】特開２００３−１６９７８７号公報
【特許文献２】特開２００２−３５５２２３号公報
【発明の開示】
【発明が解決しようとする課題】
【０００３】
このような皮膚状態測定において、水分量は、通常、皮膚の保湿状態を評価する指標として用いられている。しかしながら、最近、皮膚表面、すなわち角質層に含有される水分量は、環境や体調に大きく左右されることがわかってきた。すなわち、周囲の環境が蒸し暑いと、体内からの水分の排泄（汗等）が増え、角質層に多くの水分が供給されて角質層の水分量が多くなり、逆に、周囲の環境が寒く乾燥している場合は、体内からの水分の排泄が減り、角質層への水分の供給が減少して、角質層の水分量は低下する傾向にある。したがって、その人の保湿能を評価する上で、環境や体調に左右されやすい角質層水分量だけを指標とすることは不充分であることが明らかとなった。
【０００４】
このため、皮膚の保湿状態は、単に角質層水分量だけで判断するべきではなく、周囲の環境に対し個人が本来持っている保湿能を評価すべきであるが、そのような評価方法は未だ確立していないのが実情である。
【０００５】
本発明は、このような事情に鑑みなされたもので、角質層水分量と角質層剥離パターンを組み合わせることにより、その人の皮膚の保湿状態と保湿能を適正に評価することのできる皮膚状態評価方法と、その評価にもとづく化粧品推奨方法の提供をその目的とする。
【課題を解決するための手段】
【０００６】
上記の目的を達成するため、本発明は、粘着面を有する角質層採取シートを被測定者の皮膚表面に押圧して剥がすことにより角質層の表層部分を上記粘着面に付着させて採取し、この角質層付粘着面を撮像装置で映して得られる角質層剥離画像と、予め用意された複数の角質層剥離パターンとを対比して、被施術者の角質層剥離パターンを特定するとともに、被測定者の皮膚表面の角質層に含有される水分量を水分測定具で測定し、得られた角質層剥離パターンと角質層水分量を、予め用意された、角質層剥離パターンと角質層水分量の関係から皮膚の保湿状態を複数の階層に区分して示す保湿レベル表と対比し、被測定者の保湿レベルがいずれのレベルに属するかを特定して評価するようにした皮膚状態評価方法を第１の要旨とする。
【０００７】
また、本発明は、上記皮膚状態評価方法のなかでも、特に、上記撮像装置による角質層剥離画像が、反射画像と無反射画像の２種類を選択して得られるようになっている皮膚状態評価方法を第２の要旨とする。
【０００８】
さらに、本発明は、上記複数の保湿レベルの各保湿レベルごとに、その保湿レベルの皮膚状態に適した保湿特性の化粧品もしくは化粧品群が準備されており、上記第１の要旨または第２の要旨である皮膚状態評価方法によって特定される被測定者の保湿レベルに応じて、その被測定者に適する保湿特性の化粧品もしくは化粧品群を推奨するようにした化粧品推奨方法を第３の要旨とする。
【発明の効果】
【０００９】
本発明の皮膚状態評価方法によれば、角質層水分量と、角質層剥離パターンを組み合わせることにより、従来、評価されていなかった、個人が本来持っている保湿能を加味した形で皮膚の保湿状態を評価することができるため、被測定者の皮膚の保湿状態を、的確に評価することができる。そして、その評価に従い、被測定者の皮膚の保湿状態に最も適した保湿特性を備えた化粧品、あるいは化粧品群を推奨することができるため、被測定者は、それらを使用することにより、最適な保湿効果を得ることができる。
【００１０】
そして、上記角質層剥離パターンを特定する上で、上記撮像装置による角質層剥離画像が、反射画像と無反射画像の２種類を選択して得られるようになっていると、角質層剥離画像の観察を、映し方の異なる２種類の画像に対して行うことができるため、角質層剥離パターンを、より的確に把握することができる、という利点を有している。
【発明を実施するための最良の形態】
【００１１】
つぎに、本発明を実施するための最良の形態について説明する。
【００１２】
図１は、本発明の一実施の形態に用いる皮膚状態測定装置の一例を示している。この装置は、特開２００２−３５５２２３号公報の第２実施例として記載された装置と同様の構成を備えている。
【００１３】
すなわち、この装置は、１０インチの液晶カラーモニター４と、本体部５からなり、上記本体部５には、皮膚の状態を測定する素肌センサ１と、皮脂量を測定するオイリーチェッカー２と、皮膚表面撮像用の撮像ヘッド３とが、着脱自在に係合保持されるようになっている。なお、６は、素肌センサ１を係合するための凹部、５０は撮像ヘッド３を係合するための凹部である。また、１３０は、モニター画面４ａの操作をワンタッチで行うことのできる操作パネル、１４５は本体部５の電源スイッチ、１４６はＡＣアダプターのコネクタである。
【００１４】
そして、上記素肌センサ１には、皮膚の状態を客観的に測定するための、皮膚温度センサと水分量センサと皮膚弾力性センサが設けられており、上記本体部５には、撮像ヘッド３で撮像される画像情報を処理するとともに、素肌センサ１，オイリーチェッカー２から入力される測定情報を処理するための測定データ処理部が設けられている。
【００１５】
上記素肌センサ１の水分量センサは、角質層の水分量を、電気抵抗の変化として取り出すようになっており、１〜１００までの１００段階の数値として、上記モニター画面４ａに表示されるようになっている。
【００１６】
また、この装置では、撮像ヘッド３を用いて  皮膚表面の拡大画像を得る以外に、皮膚表面から採取した角質を観察して、角質層の剥離パターンを評価することができるようになっている。すなわち、撮像ヘッド３を係合保持する凹部５０には、角質層採取シート６０（使い捨て）を斜めに保持するシート保持部６１が形成されており、この部分に、被測定者の皮膚表面から角質を採取した角質層採取シート６０を保持させることにより、その採取部を、上記凹部５０に係合させた姿勢の撮像ヘッド３で、撮像できるようになっている。
【００１７】
なお、上記撮像ヘッド３は、スイッチを切り替えることにより、照明方法を、反射モードと透過モードのいずれかに変えることができるようになっている。上記反射モードによれば、対象面に投射された光の反射光が、撮像ヘッド３内の光学系に入り、反射画像が得られ、上記透過モードによれば、上記光の反射光が途中で遮断されて、撮像ヘッド３内の光学系には入らず、無反射画像が得られるようになっている。
【００１８】
上記反射画像によれば、採取された角質層表面の微妙な凹凸が鮮明に区別され、その陰影が白黒の濃淡によって表示されるため、角質層の剥離量の多い少ないを評価するのに有効である。また、上記無反射画像によれば、採取された角質層のうち均一に角質層が分布する部分が青色に表示され、部分的に厚い部分が黒く表示されるため、角質層の均一性を評価するのに有効である。
【００１９】
上記装置を用い、例えばつぎのようにして、被測定者の皮膚の状態を評価することができる。すなわち、まず、この装置の電源をＯＮにして、例えば図２に示すように設定された測定メニュー画面１０から、「保湿レベル」の項目１１を選択すると、画面は、「保湿レベルは、あなたの角質層に含まれる水分量と、角質層の剥離パターンで決まります。」といった説明画面（図示せず）に変わり、画面上で、水分量と、角質層剥離パターンの２つの測定を行うよう指示がなされる。
【００２０】
そこで、まず、上記素肌センサ１を用いて、皮膚表面（＝角質層）の水分量を測定する。測定値は、モニター画面４ａに、数字として表示されるが、画面には、その値とともに、図３に示すように、水分量の多い少ないを示す帯グラフ１２が表示され、その帯グラフ１２における測定値の位置が、赤丸Ｐとして表示されるようになっている。これにより、被測定者の角質層に含まれる水分量が多いか少ないかの評価が、一目でわかるようになっている。
【００２１】
なお、上記角質層水分量の評価基準となる範囲は、年代によって変化することがわかっている。そこで、上記の例では、被測定者の年代を、「１０代前半」、「１０代後半」、「２０代前半」、「２０代後半」、「３０代前半」、「３０代後半」、「４０代前半」、「４０代後半」、「５０代前半」、「５０代後半」、「６０代以上」の１１の年代に分け、各年代約１０００名のモニターによるデータから予め年代別基準値を求めておき、そ  の値を基準として、水分量が「少ない」、「普通」、「多い」の３段階の水分量の範囲をそれぞれ設定し、予め、装置の本体部５の測定データ処理部に記憶させている。したがって、上記水分量の評価に先立って、被測定者の年代を入力することが行われる。
【００２２】
つぎに、角質層採取シート６０（図１参照）の離型片６５を剥がして角質層採取用の粘着面６６を露出させ、その面を、被測定者の所定部位（例えば頬、額等）に押圧して剥がすことにより、この部分に角質層を付着採取する。そして、この角質層採取シート６０を、本体部５の凹部５０内に設けられたシート保持部６１に保持し、スイッチをＯＮにした撮像ヘッド３を本体部５の所定位置に載置すると、上記角質層採取シート６０の角質層採取部が、上記モニター画面４ａに拡大して表示される。このとき、すでに述べたように、撮像装ヘッド３の照明方法を、反射モードと透過モードに順次切り替えることにより、反射画像と無反射画像の両方を得ることができる。そして、これら２つの画像を、モニター画面４ａの左右に並べて一目で見ることができる。
【００２３】
つぎに、モニター画面４ａを、角質層剥離パターンを評価する画面（項目名、画面の呼び出し方は適宜に設定される）に切り替える。この画面には、図４に示すように、「ａゾーン」、「ｂゾーン」、「ｃゾーン」、「ｄゾーン」の４通りの角質層剥離パターンが、それぞれ上記撮像ヘッド３で撮影した反射画像（反射モード）と無反射画像（透過モード）の２種類の画像を左右に並べた状態で表示されている。
【００２４】
ちなみに、「ａゾーン」に属する角質層剥離パターンは、「角質層が薄く均一に剥がれるパターン」で、皮膚表面の新陳代謝がスムーズで、保湿能の高い状態を示している。また、「ｂゾーン」に属する角質層剥離パターンは、「角質層が厚く均一に剥がれるパターン」で、皮膚表面の新陳代謝がやや乱れ保湿能のやや低い状態を示している。そして、「ｃゾーン」に属する角質層剥離パターンは、「角質層が厚く不均一に剥がれるパターン」で、皮膚表面の新陳代謝が乱れ保湿能の低い状態を示している。さらに、「ｄゾーン」に属する角質層剥離パターンは、「角質層が薄く不均一に剥がれるパターン」で、皮膚表面の新陳代謝がやや乱れ保湿能のやや低い状態を示している。
【００２５】
そして、最後に、保湿状態レベルを評価する画面（項目名、画面の呼び出し方は適宜に設定される）に切り替える。この画面では、前記角質層水分量の評価結果と、上記角質層剥離パターンの評価で選択されたパターンとから、被測定者の皮膚の保湿状態レベルを評価することができるようになっている。評価は、図５に示すような、画面上に表示される評価基準表２０にもとづいて、「１」、「２」、「３」、「４」の４つのレベルのいずれかに属するかを特定することにより、簡単に行うことができる。なお、角質層剥離パターンの「ｂゾーン」と「ｃゾーン」は「厚く剥がれる」という一つのパターンにまとめられている。
【００２６】
上記表２０に示されている「１」の保湿状態レベル（角質層剥離パターンが「薄く均一に剥がれるパターン」で、水分が普通〜多いレベル）は、最も保湿状態が良好なレベルである。また、「２」の保湿状態レベル（角質層剥離パターンが「薄く均一に剥がれるパターン」で、水分が少ないか、角質層剥離パターンが「厚く剥がれるパターン」で、水分が多いレベル）は、保湿状態がレベル１よりやや劣るレベルである。さらに、「３」の保湿状態レベル（角質層剥離パターンが「厚く剥がれるパターン」で、水分が少ない〜普通レベル）は、保湿状態がレベル１よりかなり劣るレベルである。そして、「４」の保湿状態レベル（水分量にかかわらず、角質層剥離パターンが「所々厚く不均一に剥がれるパターン」のレベル）は、保湿状態が最も悪いレベルである。
【００２７】
このようにして求められた被測定者の保湿状態レベルに合わせて、肌のお手入れ方法や使用する化粧品の種類等をアドバイスすることができる。
【００２８】
例えば、モニター画面４ａに、上記評価基準表２０に対応させた構成で、各保湿状態レベル１〜４に対応した化粧品の種類の組み合わせを表示した化粧品アイテム推奨表３０（図６参照）を、呼び出すことができるようにしておけば、被測定者の保湿状態レベルに適した化粧品の組み合わせを推奨することができる。なお、上記化粧品アイテム推奨表３０において、「Ｌｏ」はローション（化粧水）を示し、「Ｅｍ」はエマルジョン（乳液）を示し、「Ｅｓ」はエッセンスを示し、「Ｃｒ」はクリームを示している。
【００２９】
また、各保湿状態レベル１〜４に対応するような組成にそれぞれ調製された、４種類の化粧品シリーズ（例えば各シリーズとも、ローションと乳液とクリームのセット）を、予め用意しておき、モニター画面４ａに、上記評価基準表２０に対応させた構成で、それらの化粧品シリーズ（化粧品タイプ１〜４）を表示した化粧品タイプ推奨表４０（図７参照）を、呼び出すことができるようにしておけば、この表４０にもとづいて、被測定者の保湿状態レベルに適したタイプの化粧品シリーズを推奨することができる。
【００３０】
このように、上記皮膚状態評価方法によれば、角質層水分量と、角質層剥離パターンを組み合わせることにより、従来、評価されていなかった、個人が本来持っている保湿能を加味した形で皮膚の保湿状態を評価することができるため、被測定者の皮膚の保湿状態を、的確に評価することができる。そして、その評価に従い、被測定者の皮膚の保湿状態に最も適した保湿特性を備えた化粧品、あるいは化粧品群を推奨することができるため、被測定者は、それらを使用することにより、最適な保湿効果を得ることができる。
【００３１】
しかも、上記の例では、角質層剥離パターンを特定するために、撮像ヘッド３で得られる反射画像と無反射画像の２種類を並べたものを観察するようになっているため、角質層の剥離パターンを、短時間で的確に把握することができる、という利点を有している。
【００３２】
なお、本発明において、角質水分量と角質層剥離パターンの測定・観察装置は、上記の例にかぎらず、角質水分量と、角質層剥離状態が観察できるものであれば、従来公知のどのようなものを用いても差し支えない。例えば、上記の例では、水分量と角質層剥離状態以外に、皮脂量や皮膚温度等を測定することのできる、複合機能を備えた皮膚評価装置を用いたが、図８に示すような、撮像ヘッド３と、撮像ヘッド台３ａと、モニター画面４ａと、本体部５とで構成され、皮膚表面拡大機能および角質層観察機能を備えた装置４１と、水分量のみを測定する測定具（図示せず）とを組み合わせるようにしてもよい。その場合、水分量の測定値を、本体部５に入力すれば、上記の例と同様の処理がなされ、同様の画面表示により評価結果が表示されるよう設定することが好適である。
【００３３】
また、水分量を評価するのための処理において、その都度、被測定者の年代や環境温度を入力して水分量の基準値を調整することは、評価の信頼性を高める上で好ましいが、本発明においては、必ずしも必要ではない。
【００３４】
また、水分量を評価するための階層も、「少ない」、「普通」、「多い」の３段階に限らず、複数であれば、特に限定するものではない。その階層の呼び名も、特に限定するものではなく、数値範囲をそのまま表示したり、記号等に置き換えて表示したりしてもよい。同様に、角質層剥離パターンの典型例の数も、複数であれば、特に限定するものではなく、その呼び名も、「ａゾーン」〜「ｄゾーン」に限らず、適宜の表示で区別することができる。
【００３５】
保湿状態のレベルも、１〜４の４段階に限らず、適宜の数に分けることができ、数字以外の呼び名を適宜付与することができる。
【００３６】
そして、評価の仕方も、上記の例のように、予め装置の本体部５内に評価基準を記憶させておき、画面上で自動的に評価方法や評価結果が表示されるようにしてもよいし、別途用意される冊子、情報シート等の印刷物の表示に照らして評価するようにしてもよい。
【図面の簡単な説明】
【００３７】
【図１】本発明の一実施例に用いる装置を示す分解斜視図である。
【図２】上記装置のモニター画面の表示例を示す説明図である。
【図３】上記装置のモニター画面の表示例を示す説明図である。
【図４】上記装置のモニター画面の表示例を示す説明図である。
【図５】上記装置のモニター画面の表示例を示す説明図である。
【図６】上記装置のモニター画面の表示例を示す説明図である。
【図７】上記装置のモニター画面の表示例を示す説明図である。
【図８】本発明の他の実施例に用いることのできる装置を示す斜視図である。
【図１】
2005308472.tif 000002
【図２】
2005308472.tif 000003
【図３】
2005308472.tif 000004
【図４】
2005308472.tif 000005
【図５】
2005308472.tif 000006
【図６】
2005308472.tif 000007
【図７】
2005308472.tif 000008
【図８】
2005308472.tif 000009